(57)【要約】【課題】天板部材下方のスペースを十分に確保できるとともに、電子機器等の物品をデスク装置利用者の目に付かない位置に確実に収納でき、かつスムーズな出し入れを可能としたデザイン性の優れたデスク装置を提供する。【解決手段】複数の脚部材３，３と、複数の脚部材３，３上方に設置された天板部材２と、を有するデスク装置１であり、天板部材２の後端部における天板部材２の高さよりも下方位置に物品載置部１５が形成されるとともに、天板部材２の後方側から物品Ｐを物品載置部１５に対して載置できるようになっている。【選択図】図６
2019110993.tif 000002
【特許請求の範囲】
【請求項１】
複数の脚部材と、前記複数の脚部材上方に設置された天板部材と、を有するデスク装置であり、
前記天板部材の後端部における前記天板部材の高さよりも下方位置に物品載置部が形成されるとともに、前記天板部材の後方側から物品を前記物品載置部に対して載置できるようになっていることを特徴とするデスク装置。
【請求項２】
前記物品載置部の更に後方側には、前記天板部材の後端との間に斜め上方から物品の挿入を許容する開口を形成すべく、左右方向に延びる物品支持部材が架設されていることを特徴とする請求項１に記載のデスク装置。
【請求項３】
前記物品支持部材には、孔が多数穿設されていることを特徴とする請求項２に記載のデスク装置。
【請求項４】
前記天板部材の下方に位置する背面板の後方側に、前記物品載置部が形成されていることを特徴とする請求項１ないし３のいずれかに記載のデスク装置。
【請求項５】
前記物品載置部は、前記天板部材により上方が覆われるように配置されていることを特徴とする請求項１ないし４のいずれかに記載のデスク装置。
【発明の詳細な説明】
【技術分野】
【０００１】
本発明は、デスク装置に関し、特に会議室や教室等での利用に適した物品収納部を有するデスク装置に関する。
【背景技術】
【０００２】
現在、コンピュータ等の電子機器を利用する授業や会議が増えることによって、デスク装置の天板（天板部材）が筆記作業や資料の展開面として利用されることに加えて、電子機器の載置台としても利用されている。比較的大型のデスクトップ型のパーソナルコンピュータ（以降、「パソコン」と記載）にあっては、天板上の広い領域を占めることとなり、近年ではノート型のパソコンであるノートパソコンが多用されている。このようなノートパソコンを、使用時に収納部（物品載置部）から天板上に取り出してそのまま使用できる一方で、不使用時に電源ケーブル等を接続したまま収納部に収納して天板の上面を広く使用できるとともに、天板の奥行幅を拡張しなくても足入れ空間を広く確保できるようにし、特にパソコンを利用する授業や会議用として使用される、ノートパソコン収納型のデスク装置が開発されている（特許文献１）。
【０００３】
この技術をより詳細に説明すると、足入れ空間を形成する脚部（脚部材）に支持された天板の後端部に開口が形成され、開口内にノートパソコンの収納部が設けられ、さらに開口に後端を枢支して開閉可能な開閉天板が設けられている。このため、使用時には収納部の内部から電源ケーブル等を接続したままのノートパソコンを天板上に取り出せる一方で、不使用時には電源ケーブル等を接続したままのノートパソコンを収納部に収納するとともに、開閉天板を閉じ広い天板として利用できるようになっている。
【先行技術文献】
【特許文献】
【０００４】
【特許文献１】特開２００９−２７３５８４号公報（第５，６頁、第４図）
【発明の概要】
【発明が解決しようとする課題】
【０００５】
しかしながら、上記したデスク装置の場合、ノートパソコンを収納部に収納すれば天板表面を広く利用はできるものの、脚部後方の近傍内側に収納部が大きく張り出ていることで足の移動範囲が制限されるばかりか手荷物を置く場所の確保も難しいものとなっていた。さらに、ノートパソコンの収納部からの出し入れ作業を考慮すると、この作業中は重いノートパソコンを作業者が把持したままの作業となるため、天板の後端部の開口と開閉天板とを比較的余裕を持った大きさに形成しておく必要があり、大きな開閉天板が人目に付きやすく意匠性においても劣るものであった。
【０００６】
本発明は、このような問題点に着目してなされたもので、天板部材下方のスペースを十分に確保できるとともに、電子機器等の物品をデスク装置利用者の目に付かない位置に確実に収納でき、かつスムーズな出し入れを可能としたデザイン性の優れたデスク装置を提供することを目的とする。
【課題を解決するための手段】
【０００７】
前記課題を解決するために、本発明のデスク装置は、
複数の脚部材と、前記複数の脚部材上方に設置された天板部材と、を有するデスク装置であり、
前記天板部材の後端部における前記天板部材の高さよりも下方位置に物品載置部が形成されるとともに、前記天板部材の後方側から物品を前記物品載置部に対して載置できるようになっていることを特徴としている。
この特徴によれば、物品載置部が、天板部材の後端部、かつ天板部材の高さよりも下方に位置するため、載置された物品は天板部材によってデスク装置利用者の視線が遮られ目立たない位置に収納されることになる。加えて、物品は天板部材の後方側、すなわちデスク装置の後方側の広いスペースを利用してスムーズに出し入れが可能となる。
【０００８】
前記物品載置部のさらに後方側には、前記天板部材の後端との間に斜め上方から物品の挿入を許容する開口を形成すべく、左右方向に延びる物品支持部材が架設されていることを特徴としている。
この特徴によれば、天板部材に特別な加工を施すことなく、物品載置部と物品支持部材とにより物品を支持可能な、開口を備えた物品収納部を形成できることになる。
【０００９】
前記物品支持部材には、孔が多数穿設されていることを特徴としている。
この特徴によれば、収納物品の有無を確認することができるばかりか、多数の孔による放熱効果を向上できる。
【００１０】
前記天板部材の下方に位置する背面板の後方側に、前記物品載置部が形成されていることを特徴としている。
この特徴によれば、収納された物品を背面板により確実に保護できるとともに、物品の荷重支持も確実なものにできる。
【００１１】
前記物品載置部は、前記天板部材により上方が覆われるように配置されていることを特徴としている。
この特徴によれば、上方からの落下物等に対して、収納された物品が天板部材によって効果的に保護されることになる。
【図面の簡単な説明】
【００１２】
【図１】本発明の実施例におけるデスク装置の構造を示す後方斜視図である。
【図２】デスク装置の構造を示す前方斜視図である。
【図３】物品支持部材を外したデスク装置の構造を示す後方斜視図である。
【図４】デスク装置の収納ユニットを示す断面側面図である。
【図５】デスク装置要部の位置関係を示す上面図である。
【図６】上部開口からノートパソコンを取り出す態様を示す斜視図である。
【図７】上部開口からノートパソコンが取り出された態様を示す斜視図である。
【図８】デスク装置の収納空間における空気の循環態様を示す後方斜視図である。
【図９】デスク装置の収納空間における空気の循環態様を示す断面側面図である。
【発明を実施するための形態】
【００１３】
本発明に係るデスク装置を実施するための形態を実施例に基づいて以下に説明する。
【実施例】
【００１４】
実施例に係るデスク装置につき、図１から図９を参照して説明する。以下、図２における紙面左下側をデスク装置の正面側とし、正面側から見たときの上下左右前後方向を基準として説明する。
【００１５】
本実施例のデスク装置１は、ノートパソコンＰ（物品）を利用する教室で使用されるものであり、天板２（天板部材）の上面２ａにノートパソコンＰを載置できる一方で、デスク装置１の後端部に形成された収納ユニット１０に電源ケーブルＣ１やＬＡＮケーブルＣ２を接続したままのノートパソコンＰを収納することで、上面２ａを広く使用できるようになっている。尚、本実施例において、ノートパソコンＰは、いわゆるＡ４ファイルサイズ（折畳まれ、かつ、収納された状態において、幅３８０ｍｍ、高さ２６０ｍｍ、奥行き４５ｍｍ）として説明するが、具体的な数値を限定するものではなく、以下の数値についても同様である。さらに尚、特に断らない限りノートパソコンＰは折畳まれた状態であるものとし、電源ケーブルＣ１に接続されるＡＣアダプタについてはその図示を省略する。
【００１６】
図１，図２に示されるように、デスク装置１は、左右方向に長尺な上面視略長方形状に形成された板状の天板２と、該天板２を支持する左右一対の脚３，３（脚部材）と、該脚３，３の間に配置され幕板として機能する背面板１２を有する収納ユニット１０と、から主に構成され、天板２、脚３，３および収納ユニット１０によって囲まれた前方側の空間は足入れ空間Ｓ２となっており、デスク装置１の利用者の足や手荷物等が入れられる。また、収納ユニット１０における背面板１２後方側の空間は収納空間Ｓ１（物品収納部）となっており、３台のノートパソコンＰ，Ｐ，Ｐ、ＡＣ電源に接続されたテーブルタップＴ、ＬＡＮケーブル用のスイッチングハブＨ、電源ケーブルＣ１、ＬＡＮケーブルＣ２等が収納される。尚、ＬＡＮケーブルＣ２の代わりに、無線ＬＡＮによりネットワークに接続されていてもよい。
【００１７】
先ず、図１〜図５を用いて、天板２について説明する。天板２は、スチール製の板材の縁部を折曲げ成形することで形成されており（図４参照）、天板２の上面２ａには、ノートパソコンＰ、テキスト、筆記用具等の物品が載置される。
【００１８】
図２，図５に示されるように、天板２の下面２ｂ（図４参照）には、両端部それぞれにボルトナットで固定されたフック部材４，４と、該フック部材４，４の間に所定間隔置きにボルトナットで固定された３つの引出部材５，５，５と、が配設されている。フック部材４は、樹脂材の型抜き成形等により形成された正面視クランク形状であり、手荷物等が吊支され、引出部材５は、樹脂材の押出成形等により形成された正面視上向きコ字状であり、引出部材５の内部にテキスト、筆記用具等の物品が載置・収納される。また、図５に示されるように、天板２に固定された各引出部材５の後端は収納ユニット１０の背面板１２に近接配置されているため、引出部材５内に収納された物品が後方側から落下し難い。
【００１９】
次に、図１，図２を用いて、脚３について説明する。脚３は、上下方向に長尺かつ前後方向に幅広な直方体状に形成された垂直杆３０と、該垂直杆３０の上端部にボルトナットで固定され前方に延出する上部水平杆３１と、該垂直杆３０の下端部にボルトナットで固定され前方に延出する下部水平杆３２と、から構成されており、垂直杆３０および上部水平杆３１それぞれの上面と天板２の下面２ｂとは、互いに面当接された状態でボルトナットにより固定されている。垂直杆３０および下部水平杆３２それぞれの下端部には、それぞれアジャスタ（図示略）が取付けられており、高さ位置を調整可能となっている。ここで、垂直杆３０の前後寸法は８０ｍｍである。尚、垂直杆３０、上部水平杆３１および下部水平杆３２は、溶接固定されていてもよく、限定するものではない。さらに尚、脚３，３は、アジャスタの代わりにまたは付加的に、キャスタを有していてもよく、アンカーやフック等で床に固定されていてもよい。
【００２０】
次に、図１，図３〜図５を用いて、収納ユニット１０について説明する。収納ユニット１０は、一対の脚３，３の間に固定された背面体１１と、該背面体１１の後面に溶接固定された３つのチャンネル杆１５，１５，１５（物品載置部）と、一対の脚３，３の垂直杆３０，３０に架設されたパンチングプレート１６（物品支持部材）と、により構成されており、天板２、脚３，３、背面体１１、および、パンチングプレート１６で囲まれた空間は収納空間Ｓ１となっている。この収納空間Ｓ１は背面体１１によって足入れ空間Ｓ２とは区画されていることから、足入れ空間Ｓ２側から収納空間Ｓ１にアクセス不能となっている。尚、図５については、説明の都合上、天板２、パンチングプレート１６を点線で図示し、脚３の上部水平杆３１、ピン１９の図示を省略している。
【００２１】
図４を参照し、背面体１１は、スチール製の板材の上下縁部を後方に向けて側面視Ｌ字状に折曲げ成形することにより側面視コ字状に形成されており、後面視長方形状の板状に形成された背面板１２と、該背面板１２の上端部にて側面視下向きＬ字状に形成された上枠１３と、該背面板１２の下端部にて側面視上向きＬ字状に形成された下枠１４と、を有しており、上枠１３および下枠１４は、互いに略平行である。ここで、背面体１１の上下寸法は４３０ｍｍであり、上枠１３および下枠１４の前後寸法は７０ｍｍである。
【００２２】
図３〜図５に示されるように上枠１３は、背面板１２の上端から略垂直後方に延出した板状の上端部１３ａと、上端部１３ａの後端から略垂直下方に延出した板状の後端部１３ｂと、を備え、下枠１４は、背面板１２の下端から略垂直後方に延出した板状の下端部１４ａと、下端部１４ａの後端から略垂直上方に延出した板状の後端部１４ｂと、を備え、下端部１４ａには、上下方向に貫通する５つの挿通孔１４ｃ，１４ｃ，…（図５参照）が長手方向に向けて所定間隔置きに形成されている。ここで、上枠１３および下枠１４の後端部１３ｂ，１４ｂの上下寸法は２０ｍｍである。
【００２３】
下枠１４は、その左右両端から略垂直下方に延出する左右一対の舌片（図示略）がボルトナットにより脚３，３にそれぞれ固定され、上枠１３および下枠１４の後端部１３ｂ，１４ｂの後面は垂直杆３０，３０の後面３０ｂ，３０ｂと略同一平面上に位置している。同様に、上枠１３は、上枠１３の上端部１３ａがボルトナットにより天板２に固定され、上枠１３の上端部１３ａの上面と、天板２の下面２ｂと、が面当接している。また、天板２と上枠１３とを固定するボルトナットは、上枠１３の後端部１３ｂによりデスク装置１の後方側から視認し難くなっている。尚、背面体１１は、天板２および脚３，３に対してボルトナットの代わりに溶接により固定されていてもよい。さらに尚、天板２の後面は後端部１３ｂ，１４ｂの後面や垂直杆３０，３０の後面３０ｂ，３０ｂと略同一平面上に配置されていてもよい。
【００２４】
図１，図３に示されるように、下枠１４には、テーブルタップＴやスイッチングハブＨが下枠１４に載置・収納される。また、垂直杆３０，３０の互いに対向する側面３０ｃ，３０ｃには、上下方向に延びるチャンネル状に形成された配線ダクト３４，３４が磁石により取付けられている。これらにより、垂直杆３０側に位置するテーブルタップＴやスイッチングハブＨの各ケーブルは、配線ダクト３４に挿通されるため、目立ち難い。
【００２５】
また、下枠１４の下端部１４ａに載置されたテーブルタップＴやスイッチングハブＨおよびこれらの各ケーブルは、下端部１４ａの後端部１４ｂにより、デスク装置１の後方側から視認し難い上に、下枠１４の後方側に垂れ難い。尚、図３に示すように、両端の挿通孔１４ｃ，１４ｃの間に位置する挿通孔１４ｃ，１４ｃ，１４ｃを中央側の挿通孔１４ｃ’，１４ｃ’，１４ｃ’として説明する。
【００２６】
次に、図３〜図５を用いて、チャンネル杆１５について説明する。チャンネル杆１５は、スチールの折曲げ成形によりチャンネル状に形成されており、左右方向に延びる板状の基部１５ａと、該基部１５ａの後端から略垂直上方に延出した板状の後端部１５ｂと、該基部１５ａの前端から略垂直上方に延出した板状の前端部１５ｃと、を備えている。また、後端部１５ｂは、その上縁が前方側へ略１８０度折り返されることで後端部１５ｂの前面と面当接する折返し片１５ｄを有しており、当該上縁が曲状となっている（図４参照）。ここで、チャンネル杆１５の左右寸法は４００ｍｍであり、チャンネル杆１５の後端部１５ｂの上下寸法は２０ｍｍである。
【００２７】
また、チャンネル杆１５には、基部１５ａの上面に沿ってプレーンゴムで形成された厚さ５ｍｍの緩衝シート６が接着剤を介して貼付けられている。尚、緩衝シート６は、合成ゴムや天然ゴムで形成されていてもよく、ポリウレタン等の樹脂材で形成されたゲルであってもよく、限定するものではない。
【００２８】
チャンネル杆１５は背面板１２にその前端部１５ｃが溶接固定されている。固定位置は、下枠１４の下端部１４ａより７０ｍｍ上方位置に位置し、下枠１４に略平行となる位置であり、かつ、上枠１３、下枠１４、および、チャンネル杆１５の各後端部１３ｂ，１４ｂ，１５ｂは、略同一平面上に位置している。そして、チャンネル杆１５の基部１５ａ（緩衝シート６含む）上方の空間は、幅４００ｍｍ、高さ３５０ｍｍ、奥行き６０ｍｍであるため、ノートパソコンＰ（幅３８０ｍｍ、高さ２６０ｍｍ、奥行き４５ｍｍ）を基部１５ａ上に載置することができる。一方、チャンネル杆１５の後端部１５ｂと下枠１４の後端部１４ｂとの間は、上下寸法５０ｍｍ離間しており、この空隙を利用して下枠１４の下端部１４ａにアクセスすることができる。
【００２９】
図５に示されるように、背面板１２に固定されたチャンネル杆１５，１５，１５は、下枠１４中央側の挿通孔１４ｃ’，１４ｃ’，１４ｃ’の上方に位置している。一方で、下枠１４両端側の挿通孔１４ｃ，１４ｃの上方にはチャンネル杆１５が位置していないため、例えば、テーブルタップＴを挿通孔１４ｃから収納空間Ｓ１内を略直線状に通過させ、後述する上部開口７を通じて天板２に当該テーブルタップＴを載置することもできる。
【００３０】
次に、図３，図４を用いて、パンチングプレート１６について説明する。パンチングプレート１６は、スチール製の板材の上下左右縁部を後方に向けて側面視コ字状に折曲げ成形することにより後面視長方形状の板状に形成されており、前後方向に貫通する複数の孔１７，１７，…が上下左右方向に所定間隔置きに穿設されている。また、パンチングプレート１６は折曲げ成形により角が曲状となっている。ここで、パンチングプレート１６の上下寸法は２００ｍｍである。
【００３１】
また、パンチングプレート１６の両側端部の前端側には、正面視涙形状の係止孔１８が上下二つずつ形成されており、垂直杆３０，３０の後面３０ｂ，３０ｂに溶接固定された横向きＴ字状のピン１９，１９，…に係合・吊支される。すなわち、パンチングプレート１６は垂直杆３０，３０に対して着脱可能である。この着脱に関しては、複数の孔１７，１７，…によりパンチングプレート１６が軽量化されているため取回しが良く、上述したように、垂直杆３０，３０の後面３０ｂ，３０ｂと、背面体１１の各後端部１３ｂ，１４ｂ，１５ｂの後面と、が同一平面上に位置していることから、パンチングプレート１６を取付け易い。
【００３２】
パンチングプレート１６が垂直杆３０，３０に取付けられた状態において、パンチングプレート１６の上端と上枠１３の後端部１３ｂとの間には、収納空間Ｓ１に連通する上部開口７（開口）が垂直杆３０，３０の側面３０ｃ，３０ｃ間に亘って形成されている。一方、パンチングプレート１６の下面は、チャンネル杆１５の基部１５ａの下面と略同一の高さに位置合わせされており、パンチングプレート１６の下面と下枠１４の後端部１４ｂとの間には、上部開口７と同様に、下部開口８が形成されている。ここで、上部開口７の上下寸法は１４０ｍｍであり、下部開口８の上下寸法は５０ｍｍである。
【００３３】
次に、図１，図６を用いて、収納空間Ｓ１における、ノートパソコンＰの収納態様について説明する。ノートパソコンＰは、上部開口７を利用することで、後方側に傾斜させパンチングプレート１６の上端部に立てかけた状態で収納空間Ｓ１内に収納されている。このとき、ノートパソコンＰの下端部はチャンネル杆１５の基部１５ａに載置・支持されるとともに、ノートパソコンＰの上端部はパンチングプレート１６により支持される。尚、説明の都合上、図６では、パンチングプレート１６を二点鎖線で図示している。
【００３４】
また、緩衝シート６により、ノートパソコンＰをチャンネル杆１５の基部１５ａ上に載置する際の衝撃が緩和される。加えて、プレーンゴムは、スチールよりも摩擦係数が高いことから、ノートパソコンＰがチャンネル杆１５上から落下し難い。
【００３５】
また、パンチングプレート１６は、上述したように角が曲状であるため、ノートパソコンＰの取り出しや収納において当該ノートパソコンＰと接触しても発生する摩擦力が小さいことから、ノートパソコンＰの移動を円滑に案内することができる。チャンネル杆１５の基部１５ａの上縁についても同様である。
【００３６】
直接の図示は省略するが、チャンネル杆１５の基部１５ａに載置されたノートパソコンＰを前方側に傾斜させて背面板１２に立てかけることで、収納ユニット１０内に載置・収納することもできる。このとき、チャンネル杆１５の後端部１５ｂは、ノートパソコンＰの下端部がチャンネル杆１５の後方側への移動を規制する。この態様であれば、パンチングプレート１６が取外されている状態であっても、ノートパソコンＰを安定して載置・収納することができるため、パンチングプレート１６を脚３，３から取外して、収納空間Ｓ１内の清掃・電源ケーブルの取替え等のメンテナンスが容易である。
【００３７】
次に、図６，図７を用いて、収納空間Ｓ１内に載置・収納されたノートパソコンＰを、教室の担当試験官が取り出す態様について説明する。尚、本説明において、図１における右端のノートパソコンＰを例に説明し、他のノートパソコンＰについては略同態様であるため説明を省略する。さらに尚、図６，図７に示すように、電源ケーブルＣ１がチャンネル杆１５上に位置する例について説明するが、電源ケーブルＣ１が下枠１４とチャンネル杆１５との間を挿通されていてもよく、限定するものではない。これは、ＬＡＮケーブルＣ２についても同様である。
【００３８】
図６に示されるように、後方側に傾斜して立かけられた状態のノートパソコンＰの側方上部をそれぞれ順手で把持し、当該ノートパソコンＰを後方斜め上方側へ直線状に引き上げる。このようにして、図７に示されるように、収納ユニット１０内からノートパソコンＰを取り出すことができる。また、ノートパソコンＰに追従して、当該ノートパソコンＰに接続されている電源ケーブルＣ１やＬＡＮケーブルＣ２も収納空間Ｓ１から引出される。このとき、電源ケーブルＣ１やＬＡＮケーブルＣ２は、互いに近接するチャンネル杆１５，１５の間を挿通され当該挿通箇所において左右方向への移動が規制されていることから、ノートパソコンＰを取り出し易い。
【００３９】
図７に示されるようにノートパソコンＰを取り出した状態から、ノートパソコンＰの下端部が前方側を向くように略４５〜９０度回転させ、ノートパソコンＰの本体（電源ケーブルＣ１やＬＡＮケーブルＣ２が接続された側）を親指以外の指で支持するように持ち替えた後、ノートパソコンＰのヒンジ部とは反対側を天板２に当接させ、親指以外の指を抜きながらヒンジ部側を下降させて、天板２に載置する。尚、順手でノートパソコンＰを把持する例について説明したが、逆手でノートパソコンＰを把持してもよい。この場合には、ノートパソコンＰの下端部が前方側を向くように回転させることでノートパソコンＰの本体（電源ケーブルＣ１やＬＡＮケーブルＣ２が接続された側）を親指以外の指で支持した状態となるため、ノートパソコンＰを持ち替えることなく、容易に天板２に載置することができる。
【００４０】
また、上述したように、パンチングプレート１６の下面は、チャンネル杆１５の基部１５ａの下面と略同一の高さに位置合わせされており、パンチングプレート１６の両側端部の前端側は、チャンネル杆１５の後端部１５ｂの後面と面当接していることから（図４参照）、電源ケーブルＣ１やＬＡＮケーブルＣ２が上方に引出されても、パンチングプレート１６とチャンネル杆１５との間に入り込むことがない。これにより、電源ケーブルＣ１やＬＡＮケーブルＣ２をスムーズに引き出すことができる。
【００４１】
電源ケーブルＣ１は一端がノートパソコンＰと接続され他端がテーブルタップＴと接続され、ＬＡＮケーブルＣ２は一端がノートパソコンＰと接続され他端がスイッチングハブＨと接続されているため、ノートパソコンＰを使用可能な状態のまま天板２に載置することができる。尚、取り出す前のノートパソコンＰが、後方側に傾斜されていない場合には、先ず、ノートパソコンＰを後方側に傾斜させパンチングプレート１６の上端部に立てかければよい。
【００４２】
これらにより、試験官が教室内を巡回しながらノートパソコンＰを準備する際に、特許文献１に記載されるような開閉天板の開閉操作が不要であるばかりか、立てかけられた状態のノートパソコンＰをデスク装置１の利用者の反対側であるデスク装置１の後方側から取り出せばよく、天板２までの動線が短く作業性がよい。加えて、ノートパソコンＰを後方側に傾けてパンチングプレート１６に立てかけた状態で、ノートパソコンＰの一部は上部開口７よりも上方かつ後方側に突出しているために、取り出し時に把持しやすい。
【００４３】
また、ノートパソコンＰは、収納された状態において、後方側に傾斜して立かけられた状態であるため、略鉛直方向に沿ったままノートパソコンＰを引き上げればよく、引き上げる際に手や手首に大きなモーメント作用しないため作業をしやすい。
【００４４】
また、ノートパソコンＰは、収納された状態におけるパンチングプレート１６に立てかけられた方向と、収納空間Ｓ１から引上げる際の方向と、が略同一直線状であることから、換言すれば、ノートパソコンＰを把持し、引上げる際の動線が、略直線状となっている。加えて、ノートパソコンＰを引上げる際の当該ノートパソコンＰの重心が、引上げる際の動線に沿って移動することから、ノートパソコンＰを把持し、引上げるまでの一連の作業性がよい。
【００４５】
また、デスク装置１の利用者とは反対側である、デスク装置１の後方側にノートパソコンＰが収納されていることから、障害となる物や者がなく、試験官がノートパソコンＰを取り出し、天板２に載置する作業を連続して行い易い。さらに、試験官は立った状態でこの作業を行うことができるため、短時間で多くのノートパソコンＰを天板２の上に配置することができる。
【００４６】
一方、天板２に載置していたノートパソコンＰを収納空間Ｓ１内に収納する際には、上述した手順を逆に行えばよい。収納の際に、電源ケーブルＣ１やＬＡＮケーブルＣ２は、パンチングプレート１６に沿って収納空間Ｓ１内に収納されるため、当該収納を容易に行うことができるとともに、パンチングプレート１６により外部から視認され難い上に、収納ユニット１０の後方に垂れ下がる等することが防止されているため、美観性を損ね難い。また、互いに近接するチャンネル杆１５，１５間の下方には、下枠１４中央側の挿通孔１４ｃ’が位置していないことから、当該挿通孔１４ｃ’を通じて電源ケーブルＣ１やＬＡＮケーブルＣ２等のケーブルが垂れ下がり難い。
【００４７】
次に、図８，図９を用いて、収納空間Ｓ１に収納されたノートパソコンＰの放熱態様について説明する。尚、図８，図９では、空気の動きを矢印で示している。さらに尚、図８では、説明の都合上、各ノートパソコンＰと、パンチングプレート１６と、配線ダクト３４とを二点鎖線で図示するとともに、テーブルタップＴ、スイッチングハブＨ、および、これらに接続される各ケーブルの図示を省略し、図９では、図４に図示されたチャンネル杆１５に載置されているノートパソコンＰ（図１中央のノートパソコンＰ）を例に説明し、他のノートパソコンＰについては略同態様であるため説明を省略する。
【００４８】
図８に示されるように、特に使用直後のノートパソコンＰを収納空間Ｓ１に収納すると、ノートパソコンＰ周辺の空気が温められ、当該温められた空気が上部開口７を通じて収納空間Ｓ１から流出する一方で、挿通孔１４ｃ，１４ｃ，…から収納空間Ｓ１内に相対的に低温の空気が流入する。ノートパソコンＰは、チャンネル杆１５に載置されているため、ノートパソコンＰにより挿通孔１４ｃ（１４ｃ’）が塞がれず、収納空間Ｓ１における空気の流入・流出が確保され易い。
【００４９】
また、互いに近接するチャンネル杆１５，１５の間には、収納空間Ｓ１内において上下に連通する空間があることから、当該空間を空気が通り易い。さらに左右両端のチャンネル杆１５，１５と垂直杆３０，３０との間には、収納空間Ｓ１内において上下に連通している空間があるとともに、当該空間が挿通孔１４ｃ，１４ｃと連通していることからより空気が通り易い。これらにより、収納空間Ｓ１内に熱がこもり難い。
【００５０】
図９に示されるように、下枠１４の挿通孔１４ｃ，１４ｃ，…と同様に、下部開口８やパンチングプレート１６の孔１７，１７，…からも新しい空気が収納空間Ｓ１内に流入する。一方、パンチングプレート１６の上部に位置する孔１７，１７，…からは、温められた空気が流出することもある。
【００５１】
また、特に熱く成り易いノートパソコンＰの本体（網掛部分）側をパンチングプレート１６に立てかけて収納空間Ｓ１に収納することにより収納空間Ｓ１内に熱がこもり難く、さらにノートパソコンＰの後方にパンチングプレート１６の孔１７，１７，…が位置していることから効率よくノートパソコンＰの熱が放出される。
【００５２】
また、背面体１１、チャンネル杆１５、および、パンチングプレート１６は、上述したようにスチールの板により形成されており、スチールは熱伝導率が高いことから、ノートパソコンＰの放熱効率がよい。尚、テーブルタップＴ、スイッチングハブＨ、および、これらに接続される各ケーブルについても同様である。さらに尚、背面体１１、チャンネル杆１５、および、パンチングプレート１６は、スチール以外の熱伝導率の高い金属で形成されていてもよく、樹脂材で形成されていてもよい。
【００５３】
以上説明したように、本実施例１におけるデスク装置１は、３つのチャンネル杆１５，１５，１５が、天板２の後端部、かつ天板２の高さよりも下方に位置するため、載置されたノートパソコンＰ、テーブルタップＴ、スイッチングハブＨ等の物品は天板２によってデスク装置１利用者の視線が遮られ目立たない位置に収納されることになる。加えて、ノートパソコンＰ、テーブルタップＴ、スイッチングハブＨ等の物品は、例えば足入れ空間Ｓ２内に潜り込む等する必要なく、天板２の後方側、すなわち足入れ空間Ｓ２と比較してデスク装置１の後方側の広いスペースを利用してスムーズに出し入れが可能となる。
【００５４】
また、収納空間Ｓ１は、デスク装置１の後端部に位置する脚３，３の垂直杆３０，３０の間に形成されていることから、足入れ空間Ｓ２を広く確保できる上に、デスク装置１の利用者からは収納ユニット１０が目立ち難いことからデザイン性が優れている。また、フック部材４，４、引出部材５，５，５、足入れ空間Ｓ２のように手荷物等を置く場所も確保されているため利便性が良い。
【００５５】
また、天板２に特別な加工を施す（例えば特許文献１における天板の開口、開閉天板等）ことなく、背面体１１に固定されたチャンネル杆１５，１５，１５と脚３，３に架設されたパンチングプレート１６とによりノートパソコンＰを支持可能な、上部開口７を備えた収納空間Ｓ１を形成できることになる。
【００５６】
また、背面体１１は、上述したように足入れ空間Ｓ２から収納空間Ｓ１へはアクセス不能であるため、例えばデスク装置１の正面に着座した利用者の足が収納空間Ｓ１内のノートパソコンＰに直接接触することが防止される一方で、ノートパソコンＰが足入れ空間Ｓ２側に倒れ込むようなことが防止されている。加えて、上述したように幕板として機能するため、換言すれば天板２、脚３，３により支持された状態にある。これらにより、収納空間Ｓ１に収納されたノートパソコンＰを背面板１２により確実に保護できるとともに、ノートパソコンＰ、テーブルタップＴ、スイッチングハブＨ等の物品の荷重支持も確実なものにできる。
【００５７】
また、天板２の後端部は、上枠１３および下枠１４の後端部１３ｂ，１４ｂの後面や脚３，３の垂直杆３０，３０の後面３０ｂ，３０ｂよりも、僅かに後方に突出していることから、換言すれば、天板２により収納空間Ｓ１の上方が覆われている。このことから、収納空間Ｓ１は上方からの落下物等に対して、収納されたノートパソコンＰが天板２によって効果的に保護されることになる。
【００５８】
また、パンチングプレート１６の孔１７，１７，…により、収納されたノートパソコンＰの有無を確認することができるばかりか、上述したように、多数の孔１７，１７，…による放熱効果を向上できる。
【００５９】
以上、本発明の実施例を図面により説明してきたが、具体的な構成はこれら実施例に限られるものではなく、本発明の要旨を逸脱しない範囲における変更や追加があっても本発明に含まれる。
【００６０】
例えば、前記実施例では、デスク装置１は、教室に配置される態様として説明したが、これに限らず、事務所や会議室等に配置されてもよく、限定するものではない。また、収納空間Ｓ１に収納されたノートパソコンＰの取り出しについて、担当試験官が行うものとして説明したが、これに限らず、デスク装置１の利用者や他の第３者が取り出してもよい。
【００６１】
ノートパソコンＰは、該ノートパソコンＰのヒンジ部の反対側がチャンネル杆１５に載置される例について説明したが、これに限らず、ノートパソコンＰのヒンジ部や、側端部がチャンネル杆１５に載置されてもよく、限定するものではない。同様に、ノートパソコンＰの本体（電源ケーブルＣ１やＬＡＮケーブルＣ２が接続された側）側が背面板１２に立てかけられてもよく、限定するものではない。
【００６２】
収納空間Ｓ１には、物品としてノートパソコンＰが収納される態様として説明したが、これに限らず、物品は、タブレット端末等のポータブル可能な電子機器や、テキスト・雑誌等の書籍であってもよい。本実施例の構造であれば、放熱効率が良いことから、使用に伴い発熱する電子機器であるほうが好ましい。また、Ａ４ファイルサイズのノートパソコンＰを例に説明したが、収納空間Ｓ１に出し入れ可能であれば特に限定するものではない。さらに、ノートパソコンＰ等のサイズによっては、背面体１１やパンチングプレート１６に立てかけて収納せず、基部１５ａから略垂直方向に立設されていてもよい。
【００６３】
また、収納空間Ｓ１には、３台のノートパソコンＰ，Ｐ，Ｐが収納される態様として説明したが、これに限らず、少なくとも一台以上収納可能であればよく、適宜チャンネル杆１５の本数を変更してもよい。一方で、左右方向に長尺な一本のチャンネル杆が固定されており、その上に１台以上のノートパソコンＰを載置・収納可能であってもよく、チャンネル杆の本数とその上に載置・収納されるノートパソコンＰの台数は等しくなくともよい。
【００６４】
チャンネル杆１５は、収納される上記物品のいずれかの形状や、載置・収納する数に併せて、チャンネル杆１５の形状を適宜変更してもよく、天板２、脚３、背面体１１、パンチングプレート１６についても同様である。
【００６５】
また、チャンネル杆１５は、上枠１３や下枠１４と略平行に配設されている態様として説明したが、これに限らず、チャンネル杆１５の基部１５ａが前方側から後方側に向かって、上方または下方に傾斜していてもよい。この態様であれば、ノートパソコンＰを背面体１１またはパンチングプレート１６に立てかけることを案内することができる。背面板１２、上枠１３、下枠１４についても同様である。
【００６６】
物品載置部としてチャンネル杆１５を例に説明したが、これに限らず、側面視ハーフパイプ状の部材、ノートパソコンＰの左右端部を載置可能に固定された左右一対の部材、天板２の下面２ｂに吊支されているケース体等であってもよく、限定するものではない。また、背面体１１の下枠１４にノートパソコンＰが載置されてもよく、この態様であれば、チャンネル杆が無くてもよい。さらに、物品載置部は溶接固定に限らず、ボルトナット、ピン、フック等で固定されていてもよく、押出成形等により一体成形されていてもよく、限定するものではない。これらは上枠１３、下枠１４についても同様である。
【００６７】
背面体１１は、上枠１３が形成されている態様として説明したが、これに限らず、天板２に固定される部分だけ舌片状に突出していてもよく、形成されていなくともよい。すなわち、背面体が脚３，３にのみ固定されている態様であってもよい。同様に、背面体が天板２にのみ固定されている態様であってもよい。また、背面体とは別に幕板が固定されていてもよく、背面体または背面板がなくてもよい。さらに、背面板１２と下枠１４は別体であってもよく、下枠が複数に分割され、所定間隔置きに配置されていてもよい。
【００６８】
物品支持部材としてパンチングプレート１６を例に説明したが、これに限らず、脚３，３に渡設されたポールや回動可能に支持されたコ字状のワイヤー等であってもよい。同様に、天板部材についても、天板２に限定するものではなく、フレームと該フレームに装着されたガラスによって形成されていてもよく、限定するものではない。
【００６９】
天板２は、側面視コ字状に形成された脚３，３により支持される態様として説明したが、これに限らず、３本以上の脚で支持されていてもよく、形状についても適宜選択されてよい。
【符号の説明】
【００７０】
１                デスク装置
２                天板（天板部材）
３                脚（脚部材）
７                上部開口（開口）
１２              背面板
１５              チャンネル杆（物品載置部）
１６              パンチングプレート（物品支持部材）
１７              孔
Ｐ                ノートパソコン（物品）
Ｓ１              収納空間（物品収納部）
【図１】
2019110993.tif 000003
【図２】
2019110993.tif 000004
【図３】
2019110993.tif 000005
【図４】
2019110993.tif 000006
【図５】
2019110993.tif 000007
【図６】
2019110993.tif 000008
【図７】
2019110993.tif 000009
【図８】
2019110993.tif 000010
【図９】
2019110993.tif 000011